【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
複数の被変調アップリンク制御情報(UCI)シンボルを生成するために、複数の制御情報タイプのUCIを変調するステップであって、各被変調UCIシンボルが、前記制御情報タイプのうちの対応する1つのUCIを搬送する、ステップと、
前記複数の被変調UCIシンボルを、物理アップリンク共有チャネル(PUSCH)の複数の直交周波数分割多重化(OFDM)シンボルの複数のリソース要素にマッピングするステップであって、
前記制御情報タイプの各々について、各OFDMシンボルに関するそれぞれの前記リソース要素の隣接するリソース要素間のステップサイズに基づき、前記複数のOFDMシンボルのうちの1つまたは複数の対応するOFDMシンボルのリソース要素にそれぞれの前記被変調UCIシンボルを分散させるステップを含み、
それぞれの前記OFDMシンボルに関する前記ステップサイズが、それぞれの前記OFDMシンボルにおける利用可能なリソース要素の数、およびそれぞれの前記制御情報タイプの残りの被変調UCIシンボルの数の関数である、ステップと、
前記被変調UCIシンボルがマッピングされた前記複数のリソース要素を含む前記PUSCHを送信するステップと
を含む、方法。
【請求項２】
前記UCIが、
ハイブリッド自動再送要求肯定応答(HARQ-ACK)を含む、前記複数の制御情報タイプのうちの第1の制御情報タイプの第1のUCIと、
チャネル状態情報(CSI)の第1の部分を含む、前記複数の制御情報タイプのうちの第2の制御情報タイプの第2のUCIと、
CSIの第2の部分を含む、前記複数の制御情報タイプのうちの第3の制御情報タイプの第3のUCIと
を含む、請求項1に記載の方法。
【請求項３】
前記第1のUCI、前記第2のUCI、および前記第3のUCIがマッピングされる、前記複数のリソース要素のうちのリソース要素が、前記OFDMシンボルの1つまたは複数において、周波数領域で多重化される、請求項2に記載の方法。
【請求項４】
前記マッピングするステップが、
前記第1のUCIがマッピングされる前記リソース要素のうちの1つまたは複数と、前記第2のUCIがマッピングされる前記リソース要素のうちの1つまたは複数と、前記第3のUCIがマッピングされる前記リソース要素のうちの1つまたは複数とを、前記OFDMシンボルのうちの1つまたは複数においてインターリーブするステップを含む、請求項3に記載の方法。
【請求項５】
前記第1のUCIがマッピングされる前記リソース要素が、時間領域で、前記第2のUCIおよび前記第3のUCIがマッピングされる前記リソース要素よりも早く発生する、請求項2に記載の方法。
【請求項６】
前記第2のUCIがマッピングされる前記リソース要素が、時間領域で、前記第3のUCIがマッピングされる前記リソース要素よりも早く発生する、請求項2に記載の方法。
【請求項７】
前記PUSCHが、第1の復調基準信号(DMRS)および第2のDMRSをさらに含み、前記マッピングするステップが、
各制御情報タイプの前記被変調UCIシンボルを複数のグループに分割するステップと、
前記第1のDMRSまたは前記第2のDMRSに隣接するOFDMシンボルから開始して、前記被変調UCIシンボルの各グループを1つまたは複数のOFDMシンボルにマッピングするステップと
をさらに含む、請求項1に記載の方法。
【請求項８】
前記第1のDMRSが前記PUSCHにおいてフロントロードされ、前記第1のDMRSおよび前記第2のDMRSが1つまたは複数のOFDMシンボルにより分離され、前記マッピングするステップが、
前記UCIシンボルの第1のグループを、前記第1のDMRSに隣接するOFDMシンボルにマッピングするステップと、
前記UCIシンボルの第2のグループを、前記第2のDMRSに隣接し、かつ時間において前記第2のDMRSよりも早いOFDMシンボルにマッピングするステップと、
前記UCIシンボルの第3のグループを、前記第2のDMRSに隣接し、かつ時間において前記第2のDMRSよりも早いOFDMシンボルにマッピングするステップと
をさらに含む、請求項7に記載の方法。
【請求項９】
ワイヤレス通信の方法であって、
複数の被変調アップリンク制御情報(UCI)シンボルを生成するために、複数の制御情報タイプを含むUCIを変調するステップと、
各制御情報タイプの前記被変調UCIシンボルが、物理アップリンク共有チャネル(PUSCH)の1つまたは複数の対応する直交周波数分割多重化(OFDM)シンボルの複数のリソース要素の間の所定のステップサイズに従って分散されるように、前記複数の被変調UCIシンボルを前記PUSCHの前記複数のリソース要素にマッピングするステップであって、
前記被変調UCIシンボルを第1の部分および第2の部分に分割するステップと、
前記第1の部分を、第1の周波数帯域における前記複数のリソース要素のうちのリソース要素にマッピングし、前記第2の部分を、第2の周波数帯域における前記複数のリソース要素のうちのリソース要素にマッピングするステップと
を含む、ステップと、
前記被変調UCIシンボルがマッピングされた前記複数のリソース要素を含むとともに、データがマッピングされるリソース要素を含む前記PUSCHを、前記第1の周波数帯域および前記第2の周波数帯域を介して周波数ホッピングを使用して送信するステップと
を含む、方法。
【請求項１０】
装置であって、
ワイヤレス通信のために構成された通信インターフェースと、
通信回路であって、
複数の被変調アップリンク制御情報(UCI)シンボルを生成するために、複数の制御情報タイプのUCIを変調することであって、各被変調UCIシンボルが、前記制御情報タイプのうちの対応する1つのUCIを搬送する、変調することと、
前記複数の被変調UCIシンボルを、物理アップリンク共有チャネル(PUSCH)の複数の直交周波数分割多重化(OFDM)シンボルの複数のリソース要素にマッピングすることであって、
前記マッピングすることが、前記制御情報タイプの各々について、各OFDMシンボルに関するそれぞれの前記リソース要素の隣接するリソース要素間のステップサイズに基づき、前記複数のOFDMシンボルのうちの1つまたは複数の対応するOFDMシンボルのリソース要素にそれぞれの前記被変調UCIシンボルを分散させることを含み、
それぞれの前記OFDMシンボルに関する前記ステップサイズが、それぞれの前記OFDMシンボルにおける利用可能なリソース要素の数、およびそれぞれの前記制御情報タイプの残りの被変調UCIシンボルの数の関数である、マッピングすることと、
前記被変調UCIシンボルがマッピングされた前記複数のリソース要素を含む前記PUSCHを送信することと
を行うように構成される通信回路と
を備える、装置。
【請求項１１】
前記UCIが、
ハイブリッド自動再送要求肯定応答(HARQ-ACK)を含む、前記複数の制御情報タイプのうちの第1の制御情報タイプの第1のUCIと、
チャネル状態情報(CSI)の第1の部分を含む、前記複数の制御情報タイプのうちの第2の制御情報タイプの第2のUCIと、
CSIの第2の部分を含む、前記複数の制御情報タイプのうちの第3の制御情報タイプの第3のUCIと
を含む、請求項10に記載の装置。
【請求項１２】
前記第1のUCI、前記第2のUCI、および前記第3のUCIがマッピングされる、前記複数のリソース要素のうちのリソース要素が、前記OFDMシンボルの1つまたは複数において、周波数領域で多重化される、請求項11に記載の装置。
【請求項１３】
前記被変調UCIシンボルをマッピングするために、前記通信回路は、
前記第1のUCIがマッピングされる前記リソース要素のうちの1つまたは複数と、前記第2のUCIがマッピングされる前記リソース要素のうちの1つまたは複数と、前記第3のUCIがマッピングされる前記リソース要素のうちの1つまたは複数とを、前記OFDMシンボルのうちの1つまたは複数においてインターリーブするようにさらに構成される、請求項12に記載の装置。
【請求項１４】
前記第1のUCIがマッピングされる前記リソース要素が、時間領域で、前記第2のUCIおよび前記第3のUCIがマッピングされる前記リソース要素よりも早く発生する、請求項11に記載の装置。
【請求項１５】
前記第2のUCIがマッピングされる前記リソース要素が、時間領域で、前記第3のUCIがマッピングされる前記リソース要素よりも早く発生する、請求項11に記載の装置。
【請求項１６】
前記PUSCHが、第1の復調基準信号(DMRS)および第2のDMRSをさらに含み、
前記通信回路が、
各制御情報タイプの前記被変調UCIシンボルを複数のグループに分割することと、
前記第1のDMRSまたは前記第2のDMRSに隣接するOFDMシンボルから開始して、前記被変調UCIシンボルの各グループを1つまたは複数のOFDMシンボルにマッピングすることと
を行うようにさらに構成される、請求項10に記載の装置。
【請求項１７】
前記第1のDMRSが前記PUSCHにおいてフロントロードされ、前記第1のDMRSおよび前記第2のDMRSが1つまたは複数のOFDMシンボルにより分離され、
前記通信回路が、
前記UCIシンボルの第1のグループを、前記第1のDMRSに隣接するOFDMシンボルにマッピングすることと、
前記UCIシンボルの第2のグループを、前記第2のDMRSに隣接し、かつ時間において前記第2のDMRSよりも早いOFDMシンボルにマッピングすることと、
前記UCIシンボルの第3のグループを、前記第2のDMRSに隣接し、かつ時間において前記第2のDMRSよりも早いOFDMシンボルにマッピングすることと
を行うようにさらに構成される、請求項16に記載の装置。
【請求項１８】
装置であって、
ワイヤレス通信のために構成された通信インターフェースと、
通信回路であって、
複数の被変調アップリンク制御情報(UCI)シンボルを生成するために、複数の制御情報タイプを含むUCIを変調することと、
各制御情報タイプの前記被変調UCIシンボルが、物理アップリンク共有チャネル(PUSCH)の1つまたは複数の対応する直交周波数分割多重化(OFDM)シンボルの複数のリソース要素の間の所定のステップサイズに従って分散されるように、前記複数の被変調UCIシンボルを前記PUSCHの前記複数のリソース要素にマッピングすることであって、
前記被変調UCIシンボルを第1の部分および第2の部分に分割することと、
前記第1の部分を、第1の周波数帯域における前記複数のリソース要素のうちのリソース要素にマッピングし、前記第2の部分を、第2の周波数帯域における前記複数のリソース要素のうちのリソース要素にマッピングすることと
を含む、マッピングすることと、
前記被変調UCIシンボルがマッピングされた前記複数のリソース要素を含むとともに、データがマッピングされるリソース要素を含む前記PUSCHを、前記第1の周波数帯域および前記第2の周波数帯域を介して周波数ホッピングを使用して送信することと
を行うように構成される通信回路と
を備える、装置。